(57)【要約】      （修正有）【課題】強風であっても十分に風を通す通気口を形成し、風が止むと通気口を塞ぐことで雨風から建築中の家屋を保護する装置を提供する。【解決手段】建築家屋保護装置は、中軸部材１０６と、中軸部材１０６から切妻状に延びる複数組の第１構造部材１０７及び第２構造部材１０８と、複数の第１構造部材１０７及び複数の第２構造部材１０８のそれぞれに固定されて、第１の通風口及び第２の通風口を形成する第１シート１１０及び第２シート１１２と、第１の通風口及び第２の通風口のそれぞれを塞ぐように配置される第１フラップ部１１３及び第２フラップ部１１４とを備える。第１フラップ部１１３と第２フラップ部１１４とのそれぞれは、中軸部材１０６に枢支される第１フラップ支持部材１３０及び第２フラップ指示部材１３１と、第１フラップ支持部材１３０及び第２フラップ支持部材１３１のそれぞれに固定されるフラップシート１３２，１３３とを有する。【選択図】図３
2017040100.tif 000002
【特許請求の範囲】
【請求項１】
建築中の家屋を保護するための建築家屋保護装置であって、
前記家屋に設けられる棟の上方にて延在する中軸部材と、
前記中軸部材に固定されており、前記中軸部材から切妻状に延びる複数組の第１構造部材及び第２構造部材と、
前記複数の第１構造部材に固定されて、第１の通風口を形成する第１シートと、
前記複数の第２構造部材に固定されて、第２の通風口を形成する第２シートと、
前記第１の通風口を塞ぐように配置される第１フラップ部と、
前記第２の通風口を塞ぐように配置される第２フラップ部とを備え、
前記第１フラップ部と前記第２フラップ部との各々は、
前記中軸部材に枢支されるフラップ支持部材と、
前記フラップ支持部材に固定されるフラップシートとを有する
ことを特徴とする建築家屋保護装置。
【請求項２】
前記第１シート及び前記第２シートは、それぞれ、前記第１構造部材及び前記第２構造部材の途中から下の部分に固定されている
ことを特徴とする請求項１に記載の建築家屋保護装置。
【請求項３】
一端部が前記第１シートに対して固定されて下方へ延びる第１側方シートと、
一端部が前記第２シートに対して固定されて下方へ延びる第２側方シートとをさらに備える
ことを特徴とする請求項１又は２に記載の建築家屋保護装置。
【請求項４】
前記第１側方シートと前記第２側方シートとの各々は、複数であって、上下に並べて接続されている
ことを特徴とする請求項３に記載の建築家屋保護装置。
【請求項５】
前記中軸部材の各端部近傍が一端に係止されることによって、前記中軸部材を吊り下げる吊り材と、
建設予定家屋の側方に設けられた建造物に固定されており、前記吊り材が延びる方向に沿って前記吊り材を移動させることによって前記中軸部材を昇降させる昇降器とを備える
ことを特徴とする請求項１から４のいずれか１項に記載の建築家屋保護装置。
【発明の詳細な説明】
【技術分野】
【０００１】
本発明は、建築中の家屋を保護するための装置に関する。
【背景技術】
【０００２】
建築中の家屋は、風雨などから保護するためのシートで覆われることが多い。この種のシートで建築中の家屋の屋根を覆うと、強風が吹いたときに、風によって屋根を覆うシートが破損したり吹き飛ばされたりするおそれがある。このような危険を防ぐためのシートが種々提案されている。
【０００３】
例えば特許文献１に開示されたシートは、前面に多数の通風口が穿設されたシート本体と、これらの通風口をそれぞれ覆ってシート本体に重ねられた複数の可撓性フラップとを備える。複数の可撓性フラップの各々は、少なくとも一辺がシート本体の表面に接着されている。このような構成を備えることで、特許文献１に開示されたシートは、シート本体に穿設された複数の通風口を通してシート本体の裏側から表側へ風が流れることを許容する。
【０００４】
例えば特許文献２に開示された養生シートは、形成されるべき仮設屋根の流れ方向に並べられた複数のシート片を備える。仮設屋根の流れ方向において隣り合うシート片では、仮設屋根の頂部部位側に位置するシート片の端部が、頂部部位側とは反対側のシート片の端部上に、仮設屋根の流れ方向において所定長さをもって重ね合わされて配置される。そして、各シート片の重合部の幅方向の両端部側に、隣り合うシート片を重合部同士において接合する接合部が、仮設屋根の流れ方向に延びるようにそれぞれ形成される。これにより、特許文献２に開示された養生シートは、隣り合うシート片の重合部同士の間に、シート片の裏面側から表面側への通風を許容する通風口が設けられた状態で、複数のシート片のすべてが隣り合うもの同士において接合されてなる接合シート部分を含んで構成される。
【先行技術文献】
【特許文献】
【０００５】
【特許文献１】特開平１０−２２７１３３号公報
【特許文献２】特開２００５−２１３９８８号公報
【発明の概要】
【発明が解決しようとする課題】
【０００６】
特許文献１に開示されたシートでは、強風が吹いているときに、可撓性フラップがまくれ上がることで、複数の通風口を通してシート本体の裏側から表側へ風を流すことができるかもしれない。しかしながら、可撓性フラップは可撓性を有するので、風が止んだ後も、折り曲がったままとなり、通風口が可撓性フラップで塞がれない可能性がある。このような場合、雨が降ると、通風口を通じて建築中の家屋が雨で濡れてしまう可能性がある。また、風が止んだ後に、ユーザが、通風口が塞がれるように可撓性フラップの位置を戻すことも考えられるが、これではユーザに作業の負担が発生してしまう。
【０００７】
また、特許文献２に開示された養生シートでは、隣り合うシート片の重合部同士の間に、シート片の裏面側から表面側への通風を許容する通風口が設けられるとされるが、重合部同士が接合部で接合されるので、通風口は、重合部同士の間の比較的狭い隙間となる。そのため、強風が吹いた場合に、風を十分に通すことができず、その結果、風によってシートが破損したり吹き飛ばされたりする可能性がある。
【０００８】
本発明は、上述の事情に鑑みてなされたもので、強風であっても十分に風を通す通気口を形成するとともに風が止むと通気口を塞ぐことで雨風から建築中の家屋を保護することが可能な建築家屋保護装置を提供することを目的とする。
【課題を解決するための手段】
【０００９】
上記目的を達成するため、本発明に係る建築家屋保護装置は、
建築中の家屋を保護するための建築家屋保護装置であって、
前記家屋に設けられる棟の上方にて延在する中軸部材と、
前記中軸部材に固定されており、前記中軸部材から切妻状に延びる複数組の第１構造部材及び第２構造部材と、
前記複数の第１構造部材に固定されて、第１の通風口を形成する第１シートと、
前記複数の第２構造部材に固定されて、第２の通風口を形成する第２シートと、
前記第１の通風口を塞ぐように配置される第１フラップ部と、
前記第２の通風口を塞ぐように配置される第２フラップ部とを備え、
前記第１フラップ部と前記第２フラップ部との各々は、
前記中軸部材に枢支されるフラップ支持部材と、
前記フラップ支持部材に固定されるフラップシートとを有する。
【発明の効果】
【００１０】
本発明によれば、強風であっても十分に風を通す通気口を形成するとともに風が止むと通気口を塞ぐことで雨風から建築中の家屋を保護することが可能になる。
【図面の簡単な説明】
【００１１】
【図１】本発明の一実施の形態に係る建築家屋保護装置の正面図である。
【図２】一実施の形態に係る建築家屋保護部の正面図である。
【図３】一実施の形態に係る建築家屋保護部の側面図である。
【図４Ａ】一実施の形態に係る建築家屋保護部の骨格部分を示す正面図である。
【図４Ｂ】一実施の形態に係る建築家屋保護部の骨格部分に第１シートが取り付けられた状態を示す正面図である。
【図５Ａ】一実施の形態に係る建築家屋保護部が吊り材に係止された状態を示す正面図である。
【図５Ｂ】一実施の形態に係る建築家屋保護部が持ち上げられ、１枚目の第１側方シートが取り付けられた状態を示す正面図である。
【図６】強風によって、風上側の第２のフラップ部と風下側の第１フラップ部の両方が揺動して持ち上げられる例を示す側面図である。
【図７】強風によって、風下側の第１フラップ部が揺動して持ち上げられる例を示す側面図である。
【発明を実施するための形態】
【００１２】
以下、本発明の一実施の形態について、図面を参照しつつ説明する。全図を通じて同一の要素には同一の符号を付す。なお、左、右、前、後、上、下などの方向を示す用語は、説明のために用いるのであって、本発明を限定する趣旨ではない。
【００１３】
本発明の一実施の形態に係る建築家屋保護装置１００は、建築中の家屋を保護するための装置であって、正面図である図１に示すように、建築中の家屋を保護する構造物である建築家屋保護部１０１と、建築家屋保護部１０１を吊り下げるための吊り材１０２，１０３と、吊り材１０２，１０３のそれぞれを移動させることによって建築家屋保護部１０１を昇降させる昇降器１０４，１０５と、を備える。
【００１４】
建築家屋保護部１０１は、図１、建築家屋保護部１０１の正面図である図２、右方から見た側面図である図３に示すように、骨格的な形状が切妻屋根と同様の前後で対称な構造を有する。建築家屋保護部１０１は、家屋に設けられる棟の上方にて中軸部材１０６と、中軸部材１０６から切妻状に延びる複数組の第１構造部材１０７及び第２構造部材１０８と、複数の第１構造部材１０７に固定されて第１の通風口１０９を形成する第１シート１１０と、複数の第２構造部材１０８に固定されて第２の通風口１１１を形成する第２シート１１２と、第１の通風口１０９を塞ぐように配置される第１フラップ部１１３と、第２の通風口１１１を塞ぐように配置される第２フラップ部１１４と、一端部が第１シート１１０に対して固定されて下方へ延びる１つ又は複数の第１側方シート１１５と、一端部が第２シート１１２に対して固定されて下方へ延びる１つ又は複数の第２側方シート１１６と、を備える。なお、図１において建築家屋保護部１０１に付す括弧内の符号は、建築家屋保護部１０１を後方から見た場合に表れる部材に対応するものである。
【００１５】
中軸部材１０６は、概ね棟を含む平面において、水平な方向、すなわち左右に延在する。多くの場合、家屋に設けられる棟は水平であるため、中軸部材１０６は、家屋に設けられる棟の上方にて、その棟と平行に配置される。ここで、家屋に設けられる棟の上方とは、建築途中の家屋に実際に設けられた棟の上方だけでなく、実際には未だ設けられておらず、建築中の家屋の設計に従って設けられる予定の棟の上方をも含む。
【００１６】
なお、棟が水平ではなく傾斜している場合、中軸部材１０６は、本実施の形態と同様に概ね棟を含む平面において水平な方向に配置されてもよく、棟と平行に傾斜して配置されてもよい。
【００１７】
中軸部材１０６は、詳細には、図３に示すように、右方から見て概ね三角形をなし、三角形の上端を形成するアングル部材１１７と、アングル部材１１７の左右両端の近傍に固定されて左右方向に貫通する孔が設けられた平板状の部材である係止片部１１８，１１９と、三角形の前後の各頂点に配置されるパイプ１２０，１２１と、左右方向に概ね等間隔でパイプ１２０，１２１の前後それぞれに固定されてアングル部材１１７へ向かって延びる前方プレート片１２２及び後方プレート片１２３と、左右方向に概ね等間隔でパイプ１２０，１２１の下端近傍にて前後のパイプ１２０，１２１に亘って固定されるプレートである下方プレート片１２４と、トラス構造をなすようにアングル部材１１７と前後の各パイプ１２０，１２１とにまたがって固定される複数の補強パイプ１２５と、第１フラップ部１１３と第２フラップ部１１４とのそれぞれを枢支するための第１枢支軸１２６及び第２枢支軸１２７とを備える。
【００１８】
ここで、枢支とは、中軸部材１０６が延びる方向である左右方向の軸を中心に回転できるように支持されていることを意味する。
【００１９】
第１枢支軸１２６は、前方のパイプ１２０に対して固定されて、左右に延在する細長いパイプである。詳細には、図３に示すように、第１枢支軸１２６は、右方から見て、前方のパイプ１２０から前方斜め上へ延びる第１取付部材１２８を介して、前方のパイプ１２０に固定されている。第１取付部材１２８は、第１フラップ部１１３の回転を阻害しない位置に、左右方向に複数設けられる。
【００２０】
第２枢支軸１２７は、後方のパイプ１２１に対して固定されて、左右に延在する細長いパイプである。詳細には、図３に示すように、第２枢支軸１２７は、右方から見て、後方のパイプ１２１から後方斜め上へ延びる第２取付部材１２９を介して、後方のパイプ１２１に固定されている。第２取付部材１２９は、第２フラップ部１１４の回転を阻害しない位置に、左右方向に複数設けられる。
【００２１】
中軸部材１０６を構成する部材の材料として、建築家屋保護部１０１に必要な強度を確保できる素材が適宜採用されてよいが、例えばアルミニウムを採用することによって、建築家屋保護部１０１の軽量化を図ることができる。
【００２２】
第１構造部材１０７の各々と第２構造部材１０８の各々とは、いずれも、例えば、円柱状や角柱状の細長い部材である。中空の部材が好適に採用され、これによって、建築家屋保護部１０１の軽量化を図ることができる。また、第１構造部材１０７の各々と第２構造部材１０８の各々の材料として、建築家屋保護部１０１に必要な強度を確保できる素材が適宜採用されてよいが、例えばアルミニウムを採用することによって、建築家屋保護部１０１の軽量化を図ることができる。
【００２３】
複数の第１構造部材１０７は、左右方向に概ね等間隔で中軸部材１０６に固定されており、中軸部材１０６から前方へ向かって概ね平行に延びる。複数の第２構造部材１０８は、左右方向に概ね等間隔で、複数の第１構造部材１０７に前後に対向する位置で中軸部材１０６に固定されており、中軸部材１０６から後方へ向けて概ね平行に延びている。これにより、第１構造部材１０７及び第２構造部材１０８の各組は、概ね前後に対向する位置で中軸部材１０６に固定され、中軸部材１０６から切妻状に、すなわち、互いに離間しつつ傾斜して下方へ延びる。
【００２４】
第１構造部材１０７の各々と第２構造部材１０８の各々とを中軸部材１０６に固定する方法は、ボルト止め、溶接などが適宜採用されてよい。
【００２５】
第１シート１１０と第２シート１１２との各々は、建築中の家屋を保護するための防水性、防塵性、強度などを備えたシートであって、例えば、樹脂製である。第１シート１１０と第２シート１１２とは、それぞれ、複数の第１構造部材１０７と複数の第２構造部材１０８とに、例えば図示しない紐などによって締結されることによって固定されている。
【００２６】
第１シート１１０は、複数の第１構造部材１０７の途中から下の部分に固定されている。これにより、中軸部材１０６から第１シート１１０の上端に到る領域に、第１の通風口１０９が形成される。すなわち、第１の通風口１０９は、複数の第１構造部材１０７の左右方向における全長にわたって広がる開口となる。ここで、複数の第１構造部材１０７の左右方向における全長とは、複数の第１構造部材１０７のうちの左右両端に位置する第１構造部材１０７の左右方向の間隔を意味する。
【００２７】
第２シート１１２は、複数の第２構造部材１０８の途中から下の部分に固定されている。これにより、中軸部材１０６から第２シート１１２の上端に到る領域に、第２の通風口１１１が形成される。すなわち、第２の通風口１１１は、複数の第２構造部材１０８の左右方向における全長にわたって広がる開口となる。ここで、複数の第２構造部材１０８の左右方向における全長とは、複数の第２構造部材１０８のうちの左右両端に位置する第２構造部材１０８の左右方向の間隔を意味する。
【００２８】
第１フラップ部１１３は、例えば図２に示すように、正面から見て概ね矩形であって、左右方向には、複数の第１構造部材１０７の左右方向における全長と同じ長さを有し、中軸部材１０６の近傍から第１シート１１０と一部が重なるように延びる。すなわち、第１フラップ部１１３の下端近傍（下端から予め定められた長さの概ね矩形をなす）部分は、第１シート１１０の上端近傍（上端から予め定められた長さの概ね矩形をなす）部分の上方に位置する。これにより、本実施の形態に係る第１フラップ部１１３は、第１の通風口１０９を塞ぐことができる。
【００２９】
第２フラップ部１１４は、第１フラップ部１１３と概ね前後対称に設けられる。詳細には、第２フラップ部１１４は、正面から見た第１フラップ部１１３（図２参照）と同様に、後方から見て概ね矩形であって、左右方向には、複数の第２構造部材１０８の左右方向における全長と同じ長さを有し、中軸部材１０６の近傍から第２シート１１２と一部が重なるように延びる。これにより、本実施の形態に係る第２フラップ部１１４は、第２の通風口１１１を塞ぐことができる。
【００３０】
第１フラップ部１１３及び第２フラップ部１１４は、それぞれ、中軸部材１０６に枢支されるフラップ支持部材としての第１フラップ支持部材１３０及び第２フラップ支持部材１３１と、フラップ支持部材に固定されるフラップシートとしての第１フラップシート１３２及び第２フラップシート１３３とを有する。
【００３１】
第１フラップ支持部材１３０は、円柱状や角柱状の細長い部材を組み合わせて構成され、図２に示すように、正面から見て概ね矩形状をなす第１フレーム１３４と、概ね等間隔で配置されて第１フレーム１３４の上辺と下辺とを接続する複数の第１補強部材１３５と、第１フレーム１３４の上端に固定されており、第１枢支軸１２６が挿設される左右方向の貫通孔が設けられた平板状の部材である第１枢着部１３６とを有する。第１枢着部１３６は、図３に示すように、第１フラップ部１１３が複数の第１構造部材１０７及び第１シート１１０に対して第１枢支軸１２６を中心に右方から見て予め定められた角度で回転できるように設けられる。
【００３２】
第２フラップ支持部材１３１は、第１フラップ支持部材１３０と概ね同様に構成される。詳細には、第２フラップ支持部材１３１は、円柱状や角柱状の細長い部材を組み合わせて構成され、正面から見て概ね矩形状をなす第２フレーム１３７と、概ね等間隔で配置されて第２フレーム１３７の上辺と下辺とを接続する複数の第２補強部材と、第２フレーム１３７の上端に固定されており、第２枢支軸１２７が挿設される左右方向の貫通孔が設けられた平板状の部材である第２枢着部１３８とを有する。第２枢着部１３８は、図３に示すように、第２フラップ部１１４が、複数の第２構造部材１０８及び第２シート１１２に対して第２枢支軸１２７を中心に右方から見て予め定められた角度で回転できるように設けられる。
【００３３】
第１フラップ支持部材１３０及び第２フラップ支持部材１３１の各々を構成する細長い部材には、中空の部材が好適に採用され、これによって、建築家屋保護部１０１の軽量化を図ることができる。また、第１フラップ支持部材１３０と第２フラップ支持部材１３１の各々の材料として、建築家屋保護部１０１に必要な強度を確保できる素材が適宜採用されてよいが、例えばアルミニウムを採用することによって、建築家屋保護部１０１の軽量化を図ることができる。さらに、第１フラップ支持部材１３０と第２フラップ支持部材１３１の各々を構成する部材は、ボルト止め、溶接などが適宜の方法によって固定されるとよい。
【００３４】
１つ又は複数の第１側方シート１１５の上端部は、紐などの締結具で第１シート１１０に対して固定される。１つ又は複数の第２側方シート１１６の上端部は、紐などの締結具で第２シート１１２に対して固定される。
【００３５】
第１側方シート１１５と第２側方シート１１６との各々は、複数である場合、図１に示すように、紐などの締結具で接続されて、上下に並べて配置される。
【００３６】
吊り材１０２，１０３のそれぞれは、図１に示すように、係止片部１１８，１１９の孔に引っ掛けることで中軸部材１０６の左右の各端部近傍を係止するフックが一端に設けられたロープ、チェーン、ワイヤーなどである。
【００３７】
昇降器１０４，１０５は、それぞれ、建設予定家屋（建築中の家屋を含む。）の側方に設けられた建造物１３９，１４０に固定されている。昇降器１０４，１０５は、それぞれ、吊り材１０２，１０３が延びる方向に沿って吊り材１０２，１０３を移動させることによって中軸部材１０６を昇降させる。詳細には、例えば吊り材１０２，１０３がチェーンを含む場合、昇降器１０４，１０５は、チェーンが巻き回されるスプロケット、スプロケットを回転可能な状態と回転できない状態とを切り替える回転抑止機構などから構成される。
【００３８】
これまで、本発明の一実施の形態に係る建築家屋保護装置１００の構成について説明した。ここから、本実施の形態に係る建築家屋保護装置１００の組み立て方法について説明する。
【００３９】
図４Ａに示すように、建築家屋保護部１０１の骨格部分が準備される。建築家屋保護部１０１の骨格部分は、例えば、中軸部材１０６と、中軸部材１０６に固定された複数組の第１構造部材１０７及び第２構造部材１０８と、中軸部材１０６に枢支された第１フラップ支持部材１３０及び第２フラップ支持部材１３１と、から構成される。
【００４０】
建築家屋保護部１０１の骨格部分に、各シートが取り付けられる。各シートを取り付ける順序は、適宜変更されてよいが、例えばまず、図４Ｂに示すように、第１シート１１０が、複数の第１構造部材１０７に固定される。次に、第２シート１１２が、複数の第２構造部材１０８に固定される。続けて、第１フラップシート１３２及び第２フラップシート１３３のそれぞれが、順次、第１フラップ支持部材１３０及び第２フラップ支持部材１３１に固定される。これにより、図２及び３に示すような建築家屋保護部１０１が組み立てられる。
【００４１】
建築家屋保護部１０１は、図５Ａに示すように、地面Ｇのうち家屋の建築が予定された領域である建築領域に配置される。また、建造物１３９，１４０が、建築領域を挟んで地面Ｇに組み立てられる。この建造物１３９，１４０は、仮設の建造物であり、組み立て及び解体が容易な骨格構造のみで構成されるとよい。
【００４２】
図５Ｂに示すように、建造物１３９，１４０のそれぞれに、昇降器１０４，１０５及び吊り材１０２，１０３が固定される。吊り材１０２，１０３のそれぞれの下端に設けられたフックを係止片部１１８，１１９の孔に挿入することで、中軸部材１０６が吊り材１０２，１０３に係止される。
【００４３】
吊り材１０２，１０３に中軸部材１０６を係止した状態で、昇降器１０４，１０５が、中軸部材１０６を上方へ持ち上げるように操作される。この操作は、例えばスプロケットなどを手動で回すことで行われてもよく、適宜設けられるモータなどを使って行われてもよい。これにより、建築家屋保護部１０１が上昇し、建築中の家屋の高さに合わせて、建築家屋保護部１０１の高さ方向の位置を調整することができる。
【００４４】
家屋の建築が進んで、その建築中の家屋の高さが高くなると、地面Ｇと建築家屋保護部１０１との間に、予め定められた以上の隙間が生じることがある。このような場合、１枚目の第１側方シート１１５及び第２側方シート１１６のそれぞれが、第１シート１１０及び第２シート１１２に対して固定される。
【００４５】
さらに、建築中の家屋の高さが高くなると、２枚目の第１側方シート１１５及び第２側方シート１１６のそれぞれが、１枚目の第１側方シート１１５及び第２側方シート１１６に対して固定される。
【００４６】
このように建築中の家屋の高さに合わせて、第１側方シート１１５及び第２側方シート１１６を固定することによって、前後から吹く風や吹き込む雨から建築中の家屋を保護することができる。
【００４７】
これまで、本発明の一実施の形態に係るの組み立て方法について、説明した。ここから、本実施の形態に係る建築家屋保護装置１００の動作について説明する。
【００４８】
通常の無風時や風が弱い時には、図３に示すように、第１フラップ部１１３の先端は、自重によって、複数の第１構造部材１０７及び第１シート１１０に当接するように下がっている。第２フラップ部１１４も同様に、自重によって、複数の第２構造部材１０８及び第２シート１１２に当接するように下がっている。これにより、第１フラップ部１１３及び第２フラップ部１１４のそれぞれによって、第１の通風口１０９及び第２の通風口１１１は塞がれるので、建築中の家屋を風雨から保護することができる。ここで、第１フラップ部１１３及び第２フラップ部１１４のそれぞれの自重は、主に、第１フラップ支持部材１３０及び第２フラップ支持部材１３１の重さである。
【００４９】
台風などで風が強いときには、例えば図６に示すように、風によって、風上側の第２フラップ部１１４が持ち上げられることがある。これにより、風雨は、第２の通風口１１１を通じて建築家屋保護部１０１の中に進入することになるが、その風圧によって、風下側の第１フラップ部１１３が持ち上がる。そのため、建築家屋保護部１０１の中の空気を第１の通風口１０９から建築家屋保護部１０１の外へ逃がすことができる。なお、図６において引き出し線以外の矢印は風の流れを示す。
【００５０】
このように、第１フラップ部１１３及び第２フラップ部１１４は、中軸部材１０６に枢支されているので、風上側の第１フラップ部１１３又は第２フラップ部１１４が持ち上がるような強い風が吹いた場合に、第１フラップ部１１３及び第２フラップ部１１４が容易に搖動する。そのため、第２フラップシート１３３が、風圧をまともに受けて破損したり、第２フラップ支持部材１３１から引きはがされて飛散したりすることを防ぐことができる。
【００５１】
また、台風などで風が強いときには、風上側の第２フラップ部１１４を下方へ押しつけるように当たった風が、建築家屋保護部１０１の上方に沿って流れ、風下側の第１フラップ部１１３に揚力を生じさせることがある。このような場合、例えば図７に示すように、風下側の第１フラップ部１１３が搖動して持ち上がる。そのため、このような場合であっても、第１フラップシート１３２が、風によって生じた揚力によって破損したり、第１フラップ支持部材１３０から引きはがされて飛散したりすることを防ぐことができる。なお、図７において引き出し線以外の矢印は風の流れを示す。
【００５２】
そして、台風が過ぎ去るなどにより強い風がやむと、第１フラップ部１１３及び第２フラップ部１１４は、自重によって、図３に示すような通常時の位置に確実に回復させることができる。
【００５３】
従って、強風であっても十分に風を通す通気口を形成するとともに風が止むと通気口を塞ぐことで雨風から建築中の家屋を保護することが可能になる。
【００５４】
本実施の形態では、第１シート１１０及び第２シート１１２は、それぞれ、第１構造部材１０７及び第２構造部材１０８の途中から下の部分に固定されている。そのため、第１の通風口１０９及び第２の通風口１１１は、それぞれ、複数の第１構造部材１０７及び複数の第２構造部材１０８の左右方向における全長にわたる広い開口である。これにより、強い風であっても、十分に通過させることが可能になる。
【００５５】
以上、本発明の一実施の形態について説明したが、本発明は、これに限定されるものではない。
【００５６】
例えば、中軸部材１０６の構成は、実施の形態で説明したものに限られない。中軸部材１０６は、複数の第１構造部材１０７、複数の第２構造部材１０８、第１フラップ部１１３及び第２フラップ部１１４を、建築家屋保護部１０１として必要な強度で支持できるように構成され、また、第１フラップ部１１３及び第２フラップ部１１４を、詳細後述するように枢支できるように構成されればよい。
【００５７】
例えば、本実施の形態に係る中軸部材１０６では、中軸部材１０６が隙間を有する構造となる。そのため、中軸部材１０６の隙間を通じて建築中の家屋が雨風に晒されることを防ぐために、中軸部材を覆うシートが適宜設けられてもよい。
【００５８】
例えば、複数の第１構造部材１０７の上端、複数の第１構造部材１０７の下端、複数の第２構造部材１０８の上端、複数の第２構造部材１０８の下端の各々を接続する円柱状や角柱状の細長い部材が、適宜設けられてもよい。
【００５９】
例えば、第１シート１１０と第２シート１１２とのそれぞれを複数の第１構造部材１０７と複数の第２構造部材１０８とに固定する方法は、紐などによって締結される方法に限られない。固定用のバンドを接着、溶着するなど他の方法が採用されてもよい。また、第１シート１１０と第２シート１１２との各々は、複数の小さいシートをそれらの一部が互いに重なり合うように組み合わせたものであってもよい。
【００６０】
例えば、第１シート１１０に開口が設けられていてもよい。この第１シート１１０を第１構造部材１０７に固定することで、第１シート１１０に設けられた開口を第１の通風口１０９とすることができる。また、第２シート１１２に開口が設けられていてもよい。この第２シート１１２を第２構造部材１０８に固定することで、第２シート１１２に設けられた開口を第２の通風口１１１とすることができる。
【００６１】
例えば、第１構造部材１０７、第２構造部材１０８、第１フラップ支持部材１３０及び第２フラップ支持部材１３１の各々の数、太さ、大きさなどは、建築中の家屋の大きさ、建築家屋保護部１０１の強度などに応じて、適宜変更されてよい。また、建築家屋保護部１０１を構成する各部材相互の大きさの比率は、建築中の家屋の大きさ、建築家屋保護部１０１の強度などに応じて、適宜変更されてよい。また、第１フレーム１３４及び第２フレーム１３７は、それぞれが第１の通風口１０９及び第２の通風口１１１を塞ぐように第１フラップ部１１３及び第２フラップ部１１４を構成できるものであれば、矩形以外の形状が採用されてもよい。
【００６２】
例えば、第１側方シート１１５及び第２側方シート１１６が、建築中の家屋の前後に設けられる例を説明したが、建築中の家屋の左右に同様のシートが設けられてもよい。このようなシートを設けることによって、建築中の家屋を左右から吹く風や降り込む雨から保護することができる。
【００６３】
例えば、吊り材１０２，１０３及び係止片部１１８，１１９は、中軸部材１０６の左右の各端部近傍を係止することによって、中軸部材１０６を吊り下げることができるように構成されればよく、本実施の形態の構成に限定されるものではない。
【００６４】
例えば、建築中の家屋の周囲には、作業用の足場が設けられることもある。第１側方シート１１５及び第２側方シート１１６は、このような足場に固定されてもよい。
【００６５】
このような変形例によっても、実施の形態に係る建築家屋保護装置１００と同様の効果を奏する。
【００６６】
本発明は、本発明の広義の精神と範囲を逸脱することなく、様々な実施の形態及び変形が可能とされるものである。また、上述した実施の形態は、この発明を説明するためのものであり、本発明の範囲を限定するものではない。すなわち、本発明の範囲は、実施の形態ではなく、特許請求の範囲によって示される。そして、特許請求の範囲内及びそれと同等の発明の意義の範囲内で施される様々な変形が、この発明の範囲内とみなされる。
【符号の説明】
【００６７】
１００  建築家屋保護装置
１０１  建築家屋保護部
１０２，１０３  吊り材
１０４，１０５  昇降器
１０６  中軸部材
１０７  第１構造部材
１０８  第２構造部材
１０９  第１の通風口
１１０  第１シート
１１１  第２の通風口
１１２  第２シート
１１３  第１フラップ部
１１４  第２フラップ部
１１５  第１側方シート
１１６  第２側方シート
１２６  第１枢支軸
１２７  第２枢支軸
１２８  第１取付部材
１２９  第２取付部材
１３０  第１フラップ支持部材
１３１  第２フラップ支持部材
１３２  第１フラップシート
１３３  第２フラップシート
１３４  第１フレーム
１３５  第１補強部材
１３６  第１枢着部
１３７  第２フレーム
１３８  第２枢着部
１３９，１４０  建造物
【図１】
2017040100.tif 000003
【図２】
2017040100.tif 000004
【図３】
2017040100.tif 000005
【図４Ａ】
2017040100.tif 000006
【図４Ｂ】
2017040100.tif 000007
【図５Ａ】
2017040100.tif 000008
【図５Ｂ】
2017040100.tif 000009
【図６】
2017040100.tif 000010
【図７】
2017040100.tif 000011